【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
コンテンツ出力イベントが受信装置側で発生したときに、コンテンツを受信装置側で選択的に出力させるための出力条件を規定するコンテンツ出力情報を生成する段階と、
前記コンテンツ及び前記コンテンツ出力情報を送信データとして送信する段階と、
を含むことを特徴とするコンテンツ送信方法。
【請求項２】
前記コンテンツ出力情報は、前記コンテンツが前記受信装置に出力されるか否かを示す第１識別子を含むことを特徴とする請求項１に記載のコンテンツ送信方法。
【請求項３】
前記コンテンツ出力情報は、少なくとも一つの前記コンテンツ出力イベントを識別する第２識別子、送信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項２に記載のコンテンツ送信方法。
【請求項４】
前記コンテンツ出力情報は、前記コンテンツがファイルグループを含む場合に該ファイルグループ内のファイルの数を示す第５識別子、前記ファイルグループが複数のファイルを含む場合に該複数のファイルのうち少なくとも一つのシリアルナンバーを示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つのシリアルナンバーを示す第８識別子、のうち少なくとも一つをさらに含むことを特徴とする請求項３に記載のコンテンツ送信方法。
【請求項５】
前記コンテンツは、広告、静止画、文字、アイコン、ロゴ、グラフィック及びオーディオデータのうち少なくとも一つを含むことを特徴とする請求項１に記載のコンテンツ送信方法。
【請求項６】
コンテンツの受信装置によるコンテンツ出力方法であって、
前記コンテンツ及び該コンテンツの出力条件を規定するコンテンツ出力情報を受信する段階と、
前記コンテンツ及び前記コンテンツ出力情報を保存する段階と、
コンテンツ出力イベントが発生したときに前記コンテンツ出力情報に基づいて前記コンテンツを前記受信装置によって選択的に出力する段階と、
を含むことを特徴とするコンテンツ出力方法。
【請求項７】
前記コンテンツ出力情報は、前記コンテンツが受信装置に出力されるか否かを示す第１識別子を含むことを特徴とする請求項６に記載のコンテンツ出力方法。
【請求項８】
前記コンテンツ出力情報は、少なくとも一つの前記コンテンツ出力イベントを識別する第２識別子、送信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項７に記載のコンテンツ出力方法。
【請求項９】
前記コンテンツ出力情報は、前記コンテンツがファイルグループを含む場合にファイルグループ内のファイルの数を示す第５識別子、前記ファイルグループが複数のファイルを含む場合に該複数のファイルのうち一つのシリアルナンバーを示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つのシリアルナンバーを示す第８識別子、のうち少なくとも一つをさらに含むことを特徴とする請求項８に記載のコンテンツ出力方法。
【請求項１０】
前記コンテンツは、広告、静止画、文字、アイコン、ロゴ、グラフィック及びオーディオデータのうちの少なくとも一つを含むことを特徴とする請求項６に記載のコンテンツ出力方法。
【請求項１１】
コンテンツを保存するメモリーユニットと、
コンテンツ出力イベントが受信装置側で発生したときに、受信装置側で選択的に出力される前記コンテンツの出力条件を規定するコンテンツ出力情報を生成するコンテンツ情報発生ユニットと、
を含んで構成したことを特徴とするコンテンツ送信装置。
【請求項１２】
前記コンテンツ出力情報は、前記コンテンツが受信装置に出力されるか否かを示す第１識別子を含むことを特徴とする請求項１１に記載のコンテンツ送信装置。
【請求項１３】
前記コンテンツ出力情報は、少なくとも一つの前記コンテンツ出力イベントを識別する第２識別子、送信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項１２に記載のコンテンツ送信装置。
【請求項１４】
前記コンテンツ出力情報は、前記コンテンツがファイルグループを含む場合に該ファイルグループ内のファイルの数を示す第５識別子、前記ファイルグループが複数のファイルを含む場合に該複数のファイルのうち一つのシリアルナンバーを示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つのシリアルナンバーを示す第８識別子、のうち少なくとも一つをさらに含むことを特徴とする請求項１３に記載のコンテンツ送信装置。
【請求項１５】
前記コンテンツは、広告、静止画、文字、アイコン、ロゴ、グラフィック及びオーディオデータのうち少なくとも一つを含むことを特徴とする請求項１１に記載のコンテンツ送信装置。
【請求項１６】
コンテンツ及び該コンテンツの出力条件を規定するコンテンツ出力情報を受信する信号受信ユニットと、
前記コンテンツ及び前記コンテンツ出力情報を保存するメモリーユニットと、
前記コンテンツを出力する出力ユニットと、
コンテンツ出力イベントが発生したときに前記コンテンツを前記コンテンツ出力情報に基づいて選択的に出力させるように前記出力ユニットを制御する制御ユニットと、
を含むことを特徴とするコンテンツ出力装置。
【請求項１７】
前記コンテンツは、広告、静止画、文字、アイコン、ロゴ、グラフィック及びオーディオデータのうち少なくとも一つを含むことを特徴とする請求項１６に記載のコンテンツ出力装置。
【請求項１８】
前記コンテンツ出力情報は、コンテンツが出力ユニットによって出力されるか否かを示す第１識別子を含むことを特徴とする請求項１６に記載のコンテンツ出力装置。
【請求項１９】
前記コンテンツ出力情報は、少なくとも一つの前記コンテンツ出力イベントを識別する第２識別子、受信された前記コンテンツが２次元コンテンツ又は３次元コンテンツであるか否かを示す第３識別子、及び前記コンテンツの特性を示す第４識別子、のうち少なくとも一つをさらに含むことを特徴とする請求項１８に記載のコンテンツ出力装置。
【請求項２０】
前記コンテンツ出力情報は、前記コンテンツがファイルグループを含む場合に該ファイルグループ内のファイルの数を示す第５識別子、前記ファイルグループが複数のファイルを含む場合に該複数のファイルのうち一つのシリアルナンバーを示す第６識別子、前記コンテンツが複数のファイルグループを含む場合にファイルグループ毎に出力されるコンテンツ間の間隔を示す第７識別子、及び前記コンテンツが複数のファイルグループを含む場合に該複数のファイルグループのうち一つのシリアルナンバーを示す第８識別子、のうち少なくとも一つをさらに含むことを特徴とする請求項１９に記載のコンテンツ出力装置。
【手続補正２】
【補正対象書類名】明細書
【補正対象項目名】００１６
【補正方法】変更
【補正の内容】
【００１６】
本発明の狙いに従ってこれらの目的及び他の長所を達成するために、本明細書に具現化され広く開示されているように、本発明の一態様によるコンテンツ送信方法は、コンテンツ出力イベントが受信装置側で発生したときに、コンテンツを受信装置側で選択的に出力させるための出力条件を規定するコンテンツ出力情報を生成する段階と、前記コンテンツ及び前記コンテンツ出力情報を送信データとして送信する段階と、を含むものである。
【手続補正３】
【補正対象書類名】明細書
【補正対象項目名】００１７
【補正方法】変更
【補正の内容】
【００１７】
本発明の他の態様においては、コンテンツの受信装置によるコンテンツ出力方法が提供されている。この方法は、前記コンテンツ及び該コンテンツの出力条件を規定するコンテンツ出力情報を受信する段階と、前記コンテンツ及び前記コンテンツ出力情報を保存する段階と、コンテンツ出力イベントが発生したときに前記コンテンツ出力情報に基づいて前記コンテンツを前記受信装置によって選択的に出力する段階と、を含むものである。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
本発明の他の態様においては、コンテンツ送信装置が提供されている。この装置は、コンテンツを保存するメモリーユニットと、コンテンツ出力イベントが受信装置側で発生したときに、受信装置側で選択的に出力される前記コンテンツの出力条件を規定するコンテンツ出力情報を生成するコンテンツ情報発生ユニットと、を含んで構成したものである。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
また、本発明の他の態様によると、本発明は、コンテンツ出力装置を提供している。この装置は、コンテンツ及び該コンテンツの出力条件を規定するコンテンツ出力情報を受信する信号受信ユニットと、前記コンテンツ及び前記コンテンツ出力情報を保存するメモリーユニットと、前記コンテンツを出力する出力ユニットと、コンテンツ出力イベントが発生したときに前記コンテンツを前記コンテンツ出力情報に基づいて選択的に出力させるように前記出力ユニットを制御する制御ユニットと、を含んで構成されている。
【手続補正１０】
【補正対象書類名】明細書
【補正対象項目名】００２４
【補正方法】削除
【補正の内容】